(57)【特許請求の範囲】
【請求項１】
構造物の壁面と平行に配置された平板状のアウターパネルと、
プレート状に成形されて植栽が施される培土基盤および該培土基盤を保持する保持枠を有する培土パネルと、を備え、
前記アウターパネルは、
前記培土パネルが装着可能な領域が複数設けられ、
それぞれの前記領域には、前記アウターパネルにおける前記壁面に対向する側の背面に前記保持枠を固定可能とする固定部と、前記アウターパネルの表裏を貫通する複数の開口部と、が形成され、
該複数の開口部に対向する位置には、前記固定部に前記保持枠を固定した状態の前記培土パネルが配置され、
１つの前記培土パネルは、該培土パネルの培土基盤が前記複数の開口部から露出するように配置されていることを特徴とする壁面緑化ユニット。
【請求項２】
構造物の壁面と平行に配置された平板状のアウターパネルと、
プレート状に成形されて植栽が施される培土基盤および該培土基盤を保持する保持枠を有する培土パネルと、を備え、
前記アウターパネルは、
前記培土パネルが装着可能な領域が複数設けられ、
それぞれの前記領域には、前記アウターパネルにおける前記壁面に対向する側の背面に前記保持枠を固定可能とする固定部と、前記アウターパネルの表裏を貫通する開口部と、が形成され、
該開口部に対向する位置には、前記固定部に前記保持枠を固定した状態の前記培土パネルが配置され、
前記アウターパネルの前記培土パネルが非装着とされた領域に前記開口部が複数設けられ、互いに隣接する前記開口部どうしの間の柱状部に植物の蔓を絡ませることが可能な構成としたことを特徴とする壁面緑化ユニット。
【請求項３】
構造物の壁面と平行に配置された平板状のアウターパネルと、
プレート状に成形されて植栽が施される培土基盤および該培土基盤を保持する保持枠を有する培土パネルと、を備え、
前記アウターパネルは、
前記培土パネルが装着可能な領域が複数設けられ、
それぞれの前記領域には、前記アウターパネルにおける前記壁面に対向する側の背面に前記保持枠を固定可能とする固定部と、前記アウターパネルの表裏を貫通する開口部と、が形成され、
該開口部に対向する位置には、前記固定部に前記保持枠を固定した状態の前記培土パネルが配置され、
前記アウターパネルは、その少なくとも上部及び下部が構造物の壁面に固定された支持部材を介して固定され、
前記保持枠において、前記培土基盤の下部を支持する部分が、前記培土基盤からの排水を受ける排水受け部とされ、
前記培土パネルは、前記アウターパネルの前記表面に沿って、上下方向に複数枚が並べて設置可能であり、
上段側の前記培土パネルの前記排水受け部から下方に位置する支持部材上に排水を伝達する排水ヒモが設けられていることを特徴とする壁面緑化ユニット。
【請求項４】
構造物の壁面と平行に配置された平板状のアウターパネルと、
プレート状に成形されて植栽が施される培土基盤および該培土基盤を保持する保持枠を有する培土パネルと、を備え、
前記アウターパネルは、
前記培土パネルが装着可能な領域が複数設けられ、
それぞれの前記領域には、前記アウターパネルにおける前記壁面に対向する側の背面に前記保持枠を固定可能とする固定部と、前記アウターパネルの表裏を貫通する開口部と、が形成され、
該開口部に対向する位置には、前記固定部に前記保持枠を固定した状態の前記培土パネルが配置され、
前記アウターパネルにおける前記開口部の周縁部には、前記壁面から離間する側に突出する突出部が設けられていることを特徴とする壁面緑化ユニット。
【請求項５】
前記突出部は、前記アウターパネルを形成する板材から一辺を残して切り出し、該一辺に沿って折り曲げることで形成されるとともに、前記開口部を形成するための折り曲げ部分であることを特徴とする請求項４に記載の壁面緑化ユニット。
【発明の詳細な説明】
【技術分野】
【０００１】
本発明は、構造物の壁面に設置される壁面緑化ユニットに関する。
【背景技術】
【０００２】
従来、都市部におけるヒートアイランド現象の緩和や大気の浄化、アメニティ空間の創出などを目的として、建築物、駐車場などの人工地盤、土木構造物（構造物）等の壁面に植栽を施す壁面緑化が行なわれている。
このような壁面緑化では、デザイン性も重視されるため、植物を植栽した緑化ユニットを壁面に設置することで、緑化による機能向上と、デザイン性の向上とを同時に実現する手法が望まれている。
【０００３】
このような手法として、特許文献１は、プランタボックスと、プランタボックスから生える植物を絡ませるためのパネル状の金網と、を壁面に設ける構成が開示されている。
【０００４】
また、特許文献２には、固化した培土と、培土を保持する金網状の枠部材とをユニット化して壁面に設ける構成が開示されている。
【０００５】
特許文献３には、ポット苗植物の土壌部分を収めた袋体を、ケーシング内に収容し、ポット苗植物の植物部分をケーシングに形成された開口部から外に出し、このケーシングを壁面に設置する構成が開示されている。
【先行技術文献】
【特許文献】
【０００６】
【特許文献１】特開２００７−２４４３３９号公報
【特許文献２】特開２００７−２２２０１５号公報
【特許文献３】特開２００８−１１３５７７号公報
【発明の概要】
【発明が解決しようとする課題】
【０００７】
しかしながら、特許文献１に記載の手法では、プランタボックスを保持するために、建物の構造体から突出する鉄骨等の水平支持部材を用いており、非常に大がかりでコストもかかる。また、この水平支持部材は、位置が固定されているため、プランタボックスを設置する位置も固定されてしまい、植栽のデザインの自由度が小さい。
【０００８】
また、特許文献１、２に記載の手法では、金網を用いているために、植物だけでなく、プランタボックスや、これらを支持する支持部材、植物への給水・排水等の構造も見えてしまい、美観面で向上の余地があった。
【０００９】
これに対し、特許文献３では、ケーシングに形成された開口部から植物部分を外に出すため、美観面では好ましいものの、給水・排水をいかに処理するか、という問題が明確ではない。また、ポット苗植物のポット部分をケーシング内に密に配置しているため、植物の位置が固定され、デザイン性の点で自由度が低いという問題があった。
【００１０】
本発明は、上述する問題点に鑑みてなされたもので、低コストでありながら、高い自由度でデザイン性を向上することのできる壁面緑化ユニットを提供することを目的とする。
【課題を解決するための手段】
【００１１】
本発明は、上記課題を解決するため、以下の手段を採用する。
すなわち、本発明に係る壁面緑化ユニットでは、構造物の壁面と平行に配置された平板状のアウターパネルと、プレート状に成形されて植栽が施される培土基盤および培土基盤を保持する保持枠を有する培土パネルと、を備え、アウターパネルは、培土パネルが装着可能な領域が複数設けられ、それぞれの領域には、アウターパネルにおける壁面に対向する側の背面に保持枠を固定可能とする固定部と、アウターパネルの表裏を貫通する複数の開口部と、が形成され、複数の開口部に対向する位置には、固定部に保持枠を固定した状態の培土パネルが配置され、１つの培土パネルは、培土パネルの培土基盤が複数の開口部から露出するように配置されていることを特徴としている。
【００１２】
これにより、培土パネルが取り付けられた領域では、培土基盤を開口部に露出させることができる。これによって、培土基盤に施した植栽を開口部から外部に露出させることができる。
そして、このような開口部は、その位置、形状、大きさ、数等、何ら限定するものではない。
【００１３】
このような壁面緑化ユニットは、アウターパネルと、アウターパネルの背面に固定される培土パネルとからなり、システマティックな構成となっている。そして、培土パネルが取り付けられた領域、培土パネルが非装着とされた領域を適宜組み合わせて配置するとともに、それぞれの領域でアウターパネルに開口部を形成することが可能な構成であるので、植栽デザインの自由度を高めることができ、景観に合わせた好適な壁面緑化を実現することができる。
さらに、アウターパネルは平板状であるために、開口部以外の部分で、培土基盤への給水・排水などの構造を隠すことができ、美観を向上させることができる。
【００１４】
さらにまた、本発明の壁面緑化ユニットでは、アウターパネルを平板切断（切り出し）と固定用の孔の加工のみで製作することができ、曲げ加工が不要な構成にすることが可能となることから、製作コストの低減を図ることができる。
【００１５】
また、本発明の壁面緑化ユニットでは、構造物の壁面と平行に配置された平板状のアウターパネルと、プレート状に成形されて植栽が施される培土基盤および培土基盤を保持する保持枠を有する培土パネルと、を備え、アウターパネルは、培土パネルが装着可能な領域が複数設けられ、それぞれの領域には、アウターパネルにおける壁面に対向する側の背面に保持枠を固定可能とする固定部と、アウターパネルの表裏を貫通する開口部と、が形成され、開口部に対向する位置には、固定部に保持枠を固定した状態の培土パネルが配置され、アウターパネルの培土パネルが非装着とされた領域に開口部が複数設けられ、互いに隣接する開口部どうしの間の柱状部に植物の蔓を絡ませることが可能な構成としたことを特徴としている。
その場合、開口部が複数形成され、互いに隣接する開口部どうしの間の柱状部に、植物の蔓を絡ませることもできる。
【００１６】
また、本発明の壁面緑化ユニットでは、構造物の壁面と平行に配置された平板状のアウターパネルと、プレート状に成形されて植栽が施される培土基盤および培土基盤を保持する保持枠を有する培土パネルと、を備え、アウターパネルは、培土パネルが装着可能な領域が複数設けられ、それぞれの領域には、アウターパネルにおける壁面に対向する側の背面に保持枠を固定可能とする固定部と、アウターパネルの表裏を貫通する開口部と、が形成され、開口部に対向する位置には、固定部に保持枠を固定した状態の培土パネルが配置され、アウターパネルは、その少なくとも上部及び下部が構造物の壁面に固定された支持部材を介して固定され、保持枠において、培土基盤の下部を支持する部分が、培土基盤からの排水を受ける排水受け部とされ、培土パネルは、アウターパネルの表面に沿って、上下方向に複数枚が並べて設置可能であり、上段側の培土パネルの排水受け部から下方に位置する支持部材上に排水を伝達する排水ヒモが設けられていることを特徴とすることもできる。
【００１７】
この場合、複数枚の培土パネルから生じる排水を排水ヒモを介して支持部材上に排水することができる。このように支持部材がアウターパネルを壁面に固定する機能のみならず、排水機能を備えているので、別の排水設備を設ける必要がないことから、壁面緑化ユニット全体の美観を向上させることができる。
【００１８】
また、本発明の壁面緑化ユニットでは、構造物の壁面と平行に配置された平板状のアウターパネルと、プレート状に成形されて植栽が施される培土基盤および培土基盤を保持する保持枠を有する培土パネルと、を備え、アウターパネルは、培土パネルが装着可能な領域が複数設けられ、それぞれの領域には、アウターパネルにおける壁面に対向する側の背面に保持枠を固定可能とする固定部と、アウターパネルの表裏を貫通する開口部と、が形成され、開口部に対向する位置には、固定部に保持枠を固定した状態の培土パネルが配置され、アウターパネルにおける開口部の周縁部には、壁面から離間する側に突出する突出部が設けられていることを特徴としている。
【００１９】
この場合、突出部によって、植物を絡ませて支持したり、植物に強風が当たるのを遮ったりすることが可能となる利点がある。
【００２０】
また、本発明の壁面緑化ユニットでは、突出部は、アウターパネルを形成する板材から一辺を残して切り出し、一辺に沿って折り曲げることで形成されるとともに、開口部を形成するための折り曲げ部分とすることができる。
【００２１】
この場合、アウターパネルを形成する板材のうち開口部に位置する部分を突出部として使用することができるので、新たに突出部を形成するための部材を設ける必要がなく、コストの低減を図ることができる。
【発明の効果】
【００２２】
本発明の壁面緑化ユニットによれば、培土パネルが取り付けられた領域、培土パネルが非装着とされた領域を適宜組み合わせて配置するとともに、それぞれの領域でアウターパネルに開口部を形成することで、植栽デザインの自由度を高めることができる。
さらに、アウターパネルは平板状であるために、開口部以外の部分で、培土基盤への給水・排水などの構造を隠すことができ、美観を向上させることができる。
しかも、平板状のアウターパネルに開口部を適宜形成するのみでよく、低コストで上記効果を得ることができる。つまり、本発明によれば、低コストでありながら、高い自由度でデザイン性を向上することができる。
【図面の簡単な説明】
【００２３】
【図１】本発明に係る壁面緑化ユニットの構成を示す図であって、（ａ）はその立面図、（ｂ）はその側面図である。
【図２】壁面緑化ユニットの部品構成を側面から見た展開図である。
【図３】支持部材の斜視図であって、（ａ）は図２に示す支持部材の図、（ｂ）は他の形状の支持部材の図である。
【図４】培土パネルを示す斜視図である。
【図５】上下２段に配置した培土パネルにおいて、上段の培土パネルに排水ヒモを設けた構成を示す図である。
【図６】アウターパネルを示す正面図である。
【図７】壁面緑化ユニットにおける培土パネルのレイアウト例を示す図である。
【図８】壁面緑化ユニットにおける培土パネルの他のレイアウト例を示す図である。
【図９】複数の壁面緑化ユニットを壁面に配置させた状態を示す側面図である。
【図１０】開口部に突出部を設けた変形例を示す図である。
【図１１】変形例による壁面緑化ユニットの構成を示す側面図である。
【発明を実施するための形態】
【００２４】
以下、添付図面を参照して、本発明による壁面緑化ユニットの実施の形態を説明する。しかし、本発明はこれらの実施例のみに限定されるものではない。
【００２５】
図１および図２に示す壁面緑化ユニット１０は、建築物や土木構造物などの構造物の外面や内面の壁面１００に緑化を施すためのものである。
壁面緑化ユニット１０は、壁面１００に固定される支持部材１１と、パネル状にユニット化された培土パネル２０と、壁面１００に平行に配置され、支持部材１１および培土パネル２０を覆うよう設置される平板状のアウターパネル３０と、を有して構成されている。
【００２６】
図１（ａ）、（ｂ）、図２、および図３（ａ）に示すように、支持部材１１は、例えばＣ型チャンネルなどのチャンネル材を用いることができ、断面略Ｕ字状に形成されている。支持部材１１は、開口部側を上方に向け、対向する一対の側壁部１１ａ、１１ｂのうち一方の側壁部１１ａを壁面１００に当接させた状態で、第１固定孔１２（図３（ａ））を使用してアンカーボルトなどによって壁面１００に固定して設けられている。支持部材１１の他方の側壁部１１ｂには、アウターパネル３０に固定される第２固定孔１３が設けられている。そして、壁面１００に固定された支持部材１１の内側にアウターパネル３０の下端部３０ｃが上側から挿入され、アウターパネル３０と支持部材１１の側壁部１１ｂとが孔３１（後述）および第２固定孔１３にリベットやボルトなどを挿通させて固定される。なお、アウターパネル３０は、下端部３０ｃを支持部材１１の内側に挿入させて固定することに限らず、その下端部３０ｃを支持部材１１の側壁部１２ｂの表面側（外側）に固定するようにしてもよい（図９参照）。
また、このような支持部材１１は、断面略Ｕ字状に限らず、図３（ｂ）に示すように断面Ｎ字状などとすることができる。
【００２７】
図４に示すように、培土パネル２０は、プレート状に成形されて植栽が施される培土基盤２１と、培土基盤２１を保持してアウターパネル３０に固定される保持枠２２とを備えて構成されている。
【００２８】
培土基盤２１は、正面視略正方形状で略平板状に形成されており、例えば熱融着繊維を含み、加熱処理することで固形化する熱融着培土により形成されている。熱融着培土は、土壌とパーライトなどの無機質発泡体（発泡体）と熱融着性繊維を混合し熱処理によって固形化して形成されている。すなわち、熱融着培土は、熱処理によって熱融着性繊維同士が接着したり、繊維と発泡体、繊維と土壌が接着することで三次元の網状構造（多孔質構造）が形成され、これにより、土壌が保持されるとともに固形化した形状が好適に保持される。そして、このように固形化した状態の熱融着培土からなる培土基盤２１は、風雨にさらされた場合においても、土壌が外部に流出するようなことがなく、その形状が長期にわたって保持される程度の強度特性を備えて形成されている。また、このような熱融着培土は、無機質発泡体が混在することによって、軽量化が図られるとともに、植物の生育に対する適度な保水性と排水性が付与されている。
【００２９】
このような培土基盤２１には、これを形成した段階で、例えば熱融着培土に直接播種したり、熱融着培土に窪みを形成しこの窪みにポット苗を設置するなどして植栽が施される。なお、この熱融着培土に植栽される植物は、例えばコケ、セダム、蔓性植物などが好ましいが、特に限定を必要としない。
また、培土基盤２１として、熱融着培土に限定されることはなく、他の固化培土、スポンジ状の培土、或いは不織布マットなどを採用することが可能である。
【００３０】
保持枠２２は、培土基盤２１の背面および両側面に沿うよう形成されたバックプレート２２ａと、バックプレート２２ａの下端部に連続して形成され、培土基盤２１の下部を支持する底面部２２ｂと、底面部２２ｂにおいてバックプレート２２ａとは反対側の端部から上方に立ち上がる立ち上がり壁部２２ｃと、からなる、断面略Ｊ字状とされている。この保持枠２２は、樹脂や金属等によって形成することができる。
底面部２２ｂは、培土基盤２１から落ちる水や液体肥料等の排水を受ける排水受け部とされている。この底面部２２ｂに、上方に向けて突出する複数の培土保持用突起を備えることもできる。
【００３１】
壁面緑化ユニット１０において、培土パネル２０は、上下方向に複数枚が並べて設置可能とされている。図５に示すように、上段側の培土パネル２０には、保持枠２２の底面部２２ｂにおける長手方向の一端部から、その下方に位置する支持部材１１上に排水を伝達するため、排水ヒモ２３を備えている。これにともない、底面部２２ｂは、保持枠２２を設置した状態で、長手方向の他端部から排水ヒモ２３が設けられた一端部に向けて漸次低くなるように水勾配が設けられている。
【００３２】
図１に示したように、保持枠２２に支持された培土基盤２１の上部には、灌水チューブ２５が設けられている。灌水チューブ２５は、例えばチューブ内を流通する水を外部に供給するための複数の孔が所定の間隔をあけて形成されたドリップチューブとされている。この灌水チューブ２５は、壁面緑化ユニット１０の培土基盤２１の上部において水平方向に誘導されて配置されている。また、灌水チューブ２５には、図示しない例えば水道水や雨水などの水を貯留する貯水槽や、灌水チューブ２５に貯水槽内の水を供給するためのポンプなどが接続されている。なお、灌水チューブ２５に供給される水には、貯水槽内に液体肥料（液肥）を供給するなどして液肥を混入させることもできる。
【００３３】
アウターパネル３０は、金属製、木製、樹脂等からなり、その上下の位置において支持部材１１を介して壁面１００に取り付けられる。具体的にアウターパネル３０は、壁面１００に固定された支持部材１１の他方の側壁部１１ｂに例えばリベット、ボルト・ナット等によって固定されている。このため、アウターパネル３０には、図６に示すように、予め、リベットを挿通させる孔３１が形成されている。そして、このアウターパネル３０の孔３１には、支持部材１１の側壁部１１ｂに形成される前記第２固定孔１３を一致させてボルト等が挿入される。
【００３４】
なお、アウターパネル３０の固定方法としては、上述したように、下端部３０ｃがＣ型チャンネルからなる支持部材１１の内側（溝内）に挿入されて受けた状態で、この下端部３０ｃと支持部材１１の側壁部１１ｂとが固定されているが、例えばアウターパネル３０自体に高い剛性があり、支持部材１１の溝内から抜けることがなく、所定の耐力が確保できれば、単にアウターパネル３０の下端部３０ｃを支持部材１１内で受けるのみとし、側壁部１１ｂとアウターパネル３０の下端部３０ｃとを固定しない状態とすることも可能であり、脱落を防止することができる。さらに、後述するように、アウターパネル３０の左右の側面３０ａを折り曲げてさらに剛性を高めることで、より確実に脱落を防止することができる。
【００３５】
アウターパネル３０の左右の側面３０ａは、曲げ加工により壁面１００側に向けて略９０度で折り込まれていることで、曲げにより側面３０ａが形成されていない場合（平面のみ）に比べて風等の外力が作用した場合の耐力がさらに向上し、アウターパネル３０の剛性が高められて変形を抑制するとともに、より脱落し難い構造となる。
なお、アウターパネル３０は、上記側面３０ａの曲げ加工を省略することも可能である。このような曲げ加工の無い構成でもアウターパネル３０の上下を固定することで風等の外力に対して耐力が高く、変形を抑制することができ、脱落を防止することができる。
【００３６】
図１および図６に示すように、アウターパネル３０には、その表面に沿って培土パネル２０が装着可能な領域が複数設けられ、それぞれの前記領域には、アウターパネル３０の表裏を貫通する開口部３５が形成されている。ここで、領域の数については限定するものではないが、本実施形態では、アウターパネル３０に、上下２段、横方向に２列、計４つの領域Ａ１〜Ａ４が設けられている。
【００３７】
図１に示したように、アウターパネル３０では、領域Ａ１〜Ａ４のそれぞれにおいて、壁面１００に対向する側の背面３０ｂに、保持枠２２を固定可能とするため、立ち上がり壁部２２ｃがリベット、ボルト・ナット等を介して締結されている。このため、図４および図６に示すように、アウターパネル３０および保持枠２２の立ち上がり壁部２２ｃには、それぞれリベットを挿通させるための孔（固定部）３３、３４が形成されている。
【００３８】
そして、開口部３５に対向する位置には、孔３３、３４に保持枠２２の立ち上がり壁部２２ｃを固定した状態の培土パネル２０が配置されている。
これにより、アウターパネル３０の領域Ａ１〜Ａ４のそれぞれにおいて、背面側に培土パネル２０を取り付けた場合に、開口部３５に培土基盤２１が露出する。
【００３９】
ここで、領域Ａ１〜Ａ４のそれぞれにおいて、形成される開口部３５は、複数個を形成することができ、その設置数はとくに限定されるものではない。また、開口部３５の形状も、矩形の他、円形、三角形状、五角形以上の多角形状等、いかなる形状としても良い。さらに、開口部３５の大きさも、何ら限定するものではない。図１に示した例では、領域Ａ１、Ａ２と領域Ａ３、Ａ４との間で、開口部３５の大きさ、設置数を異ならせている。さらにまた、開口部３５は、例えば工場などで製作時に形成してもよいし、あるいは、現場で開口部３５を形成することも可能である。また、開口部３５を打ち抜き可能に形成しておき、施工現場で必要な箇所のみを打ち抜いて開口部３５を設けるようにしてもよい。
【００４０】
このようなアウターパネル３０において、その背面側に培土パネル２０が取り付けられると、各開口部３５に露出した培土基盤２１から、培土基盤２１に植えられた植物が開口部３５を通してアウターパネル３０の表面側に伸びることができるようになっている。
【００４１】
そして、各培土パネル２０においては、灌水チューブ２５から水や液体肥料等が培土基盤２１に供給され、その余剰分は、保持枠２２の底面部２２ｂから支持部材１１へと流れ落ちる。壁面緑化ユニット１０において、上段側の培土パネル２０においては、余剰分の水や液体肥料は、保持枠２２の底面部２２ｂから、排水ヒモ２３を介して支持部材１１へと流れ落ちるように構成されている。
この場合、複数枚の培土パネル２０から生じる排水を排水ヒモ２３を介して支持部材１１上に排水することができる。このように支持部材１１がアウターパネル３０を壁面１００に固定する機能のみならず、排水機能を備えているので、別の排水設備を設ける必要がないことから、壁面緑化ユニット１０全体の美観を向上させることができる。
【００４２】
また、アウターパネル３０の背面側の複数の領域（本実施形態では４つの領域Ａ１〜Ａ４）のそれぞれに培土パネル２０を取り付けることが可能であり、この場合、最大で計４枚の培土パネル２０を配置することができる。なお、前記領域Ａ１〜Ａ４の全てに培土パネル２０を取り付けることに限定するものではなく、領域Ａ１〜Ａ４の一部に培土パネル２０を装着し、残部には培土パネル２０を非装着とする構成とすることもできる。
このようにすることで、培土パネル２０を取り付けて植栽する領域と、培土パネル２０を取り付けない領域と、を様々な配置で組み合わせることで、植栽のデザイン性を高めることができる。
【００４３】
また、培土パネル２０を取り付けない領域においては、互いに隣接する開口部３５、３５間の柱状部３６に、ツタ等の植物の蔓を絡ませて、植物を保持することも可能である。
例えば、図１に示したように、下方に伸びる下垂型の植物の場合は、アウターパネル３０の上側の領域Ａ１、Ａ２に培土パネル２０を設け、上側の領域Ａ３、Ａ４には培土パネル２０を設けないようにし、下側の領域Ａ３、Ａ４の柱状部３６に植物の蔓を絡ませることができる。
【００４４】
また、図７に示すように、上方に伸びる登ハン型の植物の場合は、アウターパネル３０の下側の領域Ａ３、Ａ４に培土パネル２０を設け、上側の領域Ａ１、Ａ２には培土パネル２０を設けないようにし、上側の領域Ａ１、Ａ２の柱状部３６に植物の蔓を絡ませることができる。
【００４５】
さらに、図８に示すように、上側の領域Ａ１、Ａ２のうちの一方の側に位置する領域Ａ２に培土パネル２０を設け、他方の側に位置する領域Ａ１には培土パネル２０を設けないようにするとともに、下側の領域Ａ３、Ａ４において一方の側に位置する領域Ａ４には培土パネル２０を設けず、他方の側に位置する領域Ａ３に培土パネル２０を設けることで、千鳥状に培土パネル２０を配置することも可能である。
【００４６】
図９に示すように、本壁面緑化ユニット１０では、壁面１００の上下方向に複数段（図９では上下３段）の壁面緑化ユニット１０（１０Ａ、１０Ｂ、１０Ｃ）を設置することが可能である。この場合、各アウターパネル３０の上下の固定に用いる支持部材１１やビス等（ボルト・ナット）は、上下に配置される壁面緑化ユニット１０、１０同士で兼用している。そのため、ビス等、および支持部材１１の使用数量を少なくすることができ、コストの低減を図ることができる。なお、本実施の形態では上下３段を一例としているが、段数に制限されるものではない。
【００４７】
上記したような壁面緑化ユニット１０は、以下のようにして設置される。
先ず、図１に示すように、壁面緑化ユニット１０の取付対象となる、建築物や土木構造物などの構造物の外面や内面の壁面１００に、第１固定孔１２を使用して支持部材１１を設置する。上下方向に１枚の壁面緑化ユニット１０を設ける場合には、上下方向に間隔を隔てて２本の支持部材１１を設置する。上下方向に複数枚の壁面緑化ユニット１０を設置する場合には、（上下方向の設置枚数＋１）本の支持部材１１を設置する。横方向に複数枚の壁面緑化ユニット１０を設置する場合には、同じ高さに複数本の支持部材を連接しておく。
【００４８】
一方、壁面１００に設置すべきアウターパネル３０には、予め、所定の位置に所定数の孔３１、３３を形成しておく。
そして、このアウターパネル３０の背面３０ｂ側に、培土パネル２０を取り付ける。このとき、前述したように、培土パネル２０は、アウターパネル３０の全面に配置するとは限らず、領域Ａ１〜Ａ４のうちの予め決定しておいた位置に配置し、リベット、ボルト・ナット等を孔３３、３４に挿通させて取り付ける。また、アウターパネル３０には、予め決定しておいた位置、形状、大きさ、数の開口部３５を形成しておく。
【００４９】
培土パネル２０が取り付けられたアウターパネル３０は、例えば人が運び込むことによって（必要に応じてクレーン等の揚重機器を用いて）壁面１００に吊り込まれ、壁面１００に取り付けられた支持部材１１に、リベット、ボルト・ナット等を孔３１、第２固定孔１３に挿通させて取り付けられる。
【００５０】
壁面１００に所定枚数のアウターパネル３０を吊り込んだら、培土パネル２０の培土基盤２１の上部に、灌水チューブ２５を敷設する。
この灌水チューブ２５には、ポンプ等を介して水や液肥が送り込まれ、これが、灌水チューブ２５に形成された貫通孔を介して培土基盤２１に供給される。
【００５１】
また、培土基盤２１には、アウターパネル３０の吊り込み前、あるいは壁面１００への設置後に、植物を植栽する。これら植物は、開口部３５からアウターパネル３０の外方に向けて伸びることができる。ここで、植物が蔓性植物である場合、ツルをアウターパネル３０の開口部３５から外方に導き、さらに、互いに隣接する開口部３５、３５同士の間の柱状部３６に絡ませたり、ヒモ等を介して結束することができる。
【００５２】
上述したような構成によれば、アウターパネル３０に、複数の領域Ａ１〜Ａ４が設定され、これら領域Ａ１〜Ａ４のうちの任意の位置には、培土パネル２０が取付可能とされるとともに、開口部３５が形成可能とされている。そして、領域Ａ１〜Ａ４のそれぞれにおいては、培土パネル２０が取り付けられた場合に培土基盤２１に対向する位置に開口部３５が形成され、この開口部３５を通して培土基盤２１に植えられた植物がこの開口部３５を通してアウターパネル３０の表面から外に伸びるようになっている。また、領域Ａ１〜Ａ４のそれぞれにおいて、培土パネル２０が取り付けられない場合にも開口部３５が形成され、培土パネル２０が取り付けられた部分の培土基盤２１から伸びる植物の蔓が柱状部３６に絡みつくことで、植物を確実に保持できる。
【００５３】
ここで、開口部３５は、任意の位置に、任意の大きさ、形状、数で形成することが可能であり、領域Ａ１〜Ａ４のそれぞれにおいて、培土パネル２０の取り付けの有無の自由度と合わせて、壁面緑化ユニット１０として、デザインの自由度が非常に高いものとなる。
しかも、アウターパネル３０に、開口部３５を形成するのみであるため、安価に、デザイン性を向上させることができる。
【００５４】
しかも、アウターパネル３０は、支持部材１１、灌水チューブ２５、保持枠２２、排水ヒモ２３等を、開口部３５以外の部分によって覆うようになっている。したがって、開口部３５から培土基盤２１およびこれに植えられた植物のみが見えるため、美観に優れる。
【００５５】
さらにまた、本実施の形態の壁面緑化ユニット１０では、アウターパネル３０を平板切断（切り出し）と固定用の孔の加工のみで製作することができ、曲げ加工が不要な構成にすることが可能となることから、製作コストの低減を図ることができる。
【００５６】
また、熱硬化により形成された培土基盤２１を用いているため、開口部３５の大きさや位置が変わっても、培土基盤２１において、開口部３５に対向した範囲に植物を植えればよく、この点においても自由度が高まっている。
さらに、このようにシステマティックな構成の壁面緑化ユニット１０においては、植物の入れ替え、培土基盤２１の入れ替え等も可能であり、メンテナンス性にも優れる。
【００５７】
（その他の実施形態）
なお、本発明の壁面緑化ユニットは、図面を参照して説明した上述の実施の形態に限定されるものではなく、その技術的範囲において様々な変形例が考えられる。
例えば、図１０に示すように、開口部３５を形成するに際し、アウターパネル３０を形成するパネル材３８（板材）を、開口部３５の周縁部を形成する一辺３８ａを残してコ字状に切り出すとともに、この一辺３８ａに沿ってスリット等を形成することによってその肉厚を薄くし、これによってコ字状に切り出した部分３８ｂを一辺３８ａに沿って折り曲げ可能とすることもできる。そして、一辺３８ａに沿って切り出した部分３８ｂ、つまりパネル材３８を折り曲げ、壁面１００から離間する側に突出する突出壁（突出部）３９を形成することもできる。
【００５８】
本変形例では、突出壁３９によって、植物を支持したり、植物に強風が当たるのを遮ったりすることもできる。
しかも、アウターパネル３０を形成するパネル材３８のうち開口部３５に位置する部分を突出壁３９として使用することができるので、新たに突出壁を形成するための部材を設ける必要がなく、コストの低減を図ることができる。
【００５９】
さらに、本実施の形態では、アウターパネル３０の側面３０ａが壁面１００側に折り込まれた構成をなしているが、これに限定されず、例えば図１１に示す変形例のように、アウターパネル３０の側面３０ａを表面側に向けて折り込まれる形状とすることも可能である。
【００６０】
また、本実施の形態では、４つの領域Ａ１〜Ａ４に対し、２つの培土パネル２０を配置する例を挙げたが、４つの領域Ａ１〜Ａ４に対し、１つのみ、３つ、あるいは４つの培土パネル２０を備えるようにしてもよい。
また、４つの領域Ａ１〜Ａ４において、開口部３５の形状、大きさ、数等を互いに異ならせるようにしても良い。
その他、本発明の趣旨を逸脱しない範囲で、上記した実施の形態における構成要素を周知の構成要素に置き換えることは適宜可能である。
【符号の説明】
【００６１】
１０  壁面緑化ユニット
１１  支持部材
１２  第１固定孔
１３  第２固定孔
２０  培土パネル
２１  培土基盤
２２  保持枠
２３  排水ヒモ
２５  灌水チューブ
３０  アウターパネル
３０ａ  側面
３０ｂ  背面
３０ｃ  下端部
３１  孔(固定部)
３３、３４  孔
３５  開口部
３６  柱状部
３８  パネル材（板材）
３８ａ  一辺
３９  突出壁（突出部）
１００  壁面
Ａ１〜Ａ４      領域
【図１】
0005900886.tif 000002
【図２】
0005900886.tif 000003
【図３】
0005900886.tif 000004
【図４】
0005900886.tif 000005
【図５】
0005900886.tif 000006
【図６】
0005900886.tif 000007
【図７】
0005900886.tif 000008
【図８】
0005900886.tif 000009
【図９】
0005900886.tif 000010
【図１０】
0005900886.tif 000011
【図１１】
0005900886.tif 000012